(57)【要約】      （修正有）【課題】  集中管理機器に接続されている空調システムにおいて、簡便に、集中管理機器に空調機のアドレスと空調機の設置場所とを対応付けることができるシステムを提供する。【解決手段】  自己識別情報を含む情報を受信するための第１情報受信手段と、自己識別情報を記憶するための複数の空調機と通信接続される集中管理機器において、空調機の設置位置に関する情報である設置位置情報と自己識別情報との対応付けの確立を支援するためのシステムであって、無線情報端末、位置情報導出手段および情報対応付け保存手段を備える。無線情報端末は、情報送信手段を有する自己識別情報が記憶される。情報送信手段は、自己識別情報を第１情報受信手段に無線送信するためのものである。位置情報導出手段は、無線情報端末の位置情報を導出する。情報対応付け保存手段は、自己識別情報と位置情報導出手段において導出された無線情報端末の位置情報とを対応付ける。【選択図】図１
2007010223.tif 000002
【特許請求の範囲】
【請求項１】
自己識別情報を含む情報を受信するための第１情報受信手段（１８）と、前記自己識別情報を記憶するための第１記憶手段（２５）とを有する複数の空調機（２０ａ，２０ｂ，２０ｃ，２０ｄ，・・・）と通信接続される集中管理機器（３）において、前記空調機の設置位置に関する情報である設置位置情報と前記自己識別情報との対応付けの確立を支援するための空調機対応付け支援システムであって、
前記自己識別情報を記憶する第２記憶手段（１０５）と、前記第２記憶手段に記憶される前記自己識別情報を前記第１情報受信手段に無線送信するための情報送信手段（１１２）とを有する無線情報端末（１０）と、
前記無線情報端末の位置情報を導出する位置情報導出手段（６，７ａ，７ｂ，７ｃ，・・・，８１Ｂ）と、
前記自己識別情報と、前記位置情報導出手段において導出された前記無線情報端末の位置情報とを対応付けて第３記憶手段（８４ｅ）に保存する情報対応付け保存手段（８１Ａ）と、
を備える、空調機対応付け支援システム。
【請求項２】
前記無線情報端末は、電磁波を発する電磁波発信手段（６２）をさらに有し、
前記位置情報導出手段は、前記電磁波を受信する複数の電磁波受信手段（７９）を有し、前記複数の電磁波受信手段において受信された前記電磁波を利用して前記無線情報端末の位置情報を導出する、
請求項１に記載の空調機対応付け支援システム。
【請求項３】
前記第２記憶手段は、無線情報端末に固有の情報である端末固有情報をさらに記憶し、
前記情報送信手段は、前記第２記憶手段に記憶される前記自己識別情報と前記端末固有情報とを併せて前記第１情報受信手段に無線送信し、
前記無線情報端末は、前記端末固有情報を、電磁波を利用して発信する端末固有番号発信手段（６２）をさらに有し、
前記位置情報導出手段は、前記電磁波を受信する複数の電磁波受信手段を有し、前記複数の電磁波受信手段において受信された前記電磁波と前記電磁波を利用して発信された端末固有情報とを利用して前記無線情報端末の位置情報を導出し、
前記情報対応付け保存手段は、前記端末固有情報を利用して、前記自己識別情報と、前記位置情報導出手段において導出された前記無線情報端末の位置情報とを対応付けして第３記憶手段に保存する、
請求項１に記載の空調機対応付け支援システム。
【発明の詳細な説明】
【技術分野】
【０００１】
本発明は、自己識別情報を受信するための情報受信手段と、自己識別情報を記憶するための第１記憶手段とを有する複数の空調機と通信接続される集中管理機器において、空調機の設置位置に関する情報である設置位置情報と自己識別情報との対応付けの確立を支援するための空調機対応付け支援システムに関する。
【背景技術】
【０００２】
下記に示す特許文献１には、「リモコンを有する複数の空調機が集中管理機器に接続されている空調システムにおいて、集中管理機器に空調機のアドレスと空調機の設置場所名とを対応付けて保存するための方法の発明」が開示されている。この空調システムでは、先ず、サービスエンジニア等が、空調機に設けられているアドレス設定スイッチによりその空調機のアドレスを決定する。続いて、サービスエンジニア等が、その空調機に対応するリモコンにその空調機の設置場所名を入力する。すると、その設置場所名の情報が空調機に送信され、空調機がアドレスと設置場所名の情報とからアドレス設定情報を生成する。その後、空調機は、そのアドレス設定情報を集中管理機器に送信する。そして、集中管理機器は、アドレス設定データをアドレスと設置場所名とに分割して所定の保存場所へ保存する。
【０００３】
また、当業者に広く知られている別の方法では、先ず、集中管理機器により各空調機のアドレスを収集する（逆に、集中管理機器から自動的に各空調機にアドレスを付与する場合もある）。次に、サービスエンジニア等が、集中管理機器上で適当な空調機を１台選択してそのアドレスを認識する。そして、サービスエンジニア等が、集中管理機器からそのアドレスに運転開始指令を送信する。その後、サービスエンジニア等は、運転している空調機を発見するために建物を歩き回わる。そして、サービスエンジニア等が運転している空調機を発見すると、その空調機の設置位置をメモして集中管理機器へ戻る。そこで、サービスエンジニア等は、集中管理機器において、メモした設置位置を、そのアドレスに対応付けするように入力する。
【特許文献１】特開２００３−２２７６４４号公報
【発明の開示】
【発明が解決しようとする課題】
【０００４】
ところで、空調機のアドレスについては空調機の施工前に予め重複しないように設定しておくことが可能であるが、設置場所名については施工が間違っている場合があり得るため空調機の施工後に設定する必要がある。つまり、空調機にリモコンを接続しない場合に前者の方法を実施するためには、サービスエンジニア等が天井裏などによじ登り空調機本体に専用リモコンなどを接続して設置場所名を空調機に直接入力しなければならないことになり、非常に不便である。また、後者の方法では、サービスエンジニア等は、天井裏によじ登る必要はないが、１台づつ上記の作業を行わなければならないため、全空調機に対して対応付けが完了するまでに相当の距離を歩き回らなければならない。したがって、後者の方法を採る場合、サービスエンジニア等の作業負担が大きく、対応付け完了までにかなりの時間を費やさなければならない。
【０００５】
本発明の課題は、複数の空調機が集中管理機器に接続されている空調システムにおいて、サービスエンジニア等に大きな負担をかけることなく、簡便に、集中管理機器に空調機のアドレスと空調機の設置場所とを対応付けることができる空調機対応付け支援システムを提供することにある。
【課題を解決するための手段】
【０００６】
第１発明に係る空調機対応付け支援システムは、自己識別情報を含む情報を受信するための第１情報受信手段と、自己識別情報を記憶するための第１記憶手段とを有する複数の空調機と通信接続される集中管理機器において、空調機の設置位置に関する情報である設置位置情報と自己識別情報との対応付けの確立を支援するための空調機対応付け支援システムであって、無線情報端末、位置情報導出手段、および情報対応付け保存手段を備える。無線情報端末は、第２記憶手段および情報送信手段を有する。第２記憶手段には、自己識別情報が記憶される。情報送信手段は、第２記憶手段に記憶される自己識別情報を第１情報受信手段に無線送信するためのものである。位置情報導出手段は、無線情報端末の位置情報を導出する。情報対応付け保存手段は、自己識別情報と、位置情報導出手段において導出された無線情報端末の位置情報とを対応付けて第３記憶手段に保存する。なお、位置情報導出手段および情報対応付け保存手段は、集中管理機器に設けられていてもよい。
【０００７】
この空調機対応付け支援システムでは、サービスエンジニア等が情報送信手段を利用して第２記憶手段に記憶される自己識別情報を第１情報受信手段に無線送信すると、第１情報受信手段がその自己識別情報を受信する。そして、第１記憶手段がその自己識別情報を記憶する。また、位置情報導出手段が、無線情報端末の位置情報を導出する。そして、情報対応付け保存手段が、自己識別情報と、位置情報導出手段において導出された無線情報端末の位置情報とを対応付けて第３記憶手段に保存する。このため、この空調機対応付け支援システムでは、サービスエンジニアが、空調機の下方に位置して情報送信手段を操作すれば、空調機の第１記憶手段に自己識別情報が書き込まれるとともに、その自己識別情報に対して空調機の位置情報が対応付けて第３記憶手段に保存されることになる。したがって、この空調機対応付け支援システムでは、複数の空調機が集中管理機器に接続されている空調システムにおいて、サービスエンジニア等に大きな負担をかけることなく、簡便に、集中管理機器に空調機のアドレスと空調機の設置場所とを対応付けることができる。
【０００８】
第２発明に係る空調機対応付け支援システムは、第１発明に係る空調機対応付け支援システムであって、無線情報端末は、電磁波発信手段をさらに有する。電磁波発信手段は、電磁波を発する。位置情報導出手段は、複数の電磁波受信手段を有する。電磁波受信手段は、電磁波を受信する。そして、位置情報導出手段は、複数の電磁波受信手段において受信された電磁波を利用して無線情報端末の位置情報を導出する。
この空調機対応付け支援システムでは、位置情報導出手段が、複数の電磁波受信手段において受信された電磁波を利用して無線情報端末の位置情報を導出する。このため、この空調機対応付け支援システムでは、三辺測量法などを利用して正確に無線情報端末の位置情報を導出することができる。
【０００９】
第３発明に係る空調機対応付け支援システムは、第１発明に係る空調機対応付け支援システムであって、第２記憶手段は、無線情報端末に固有の情報である端末固有情報をさらに記憶する。情報送信手段は、第２記憶手段に記憶される自己識別情報と端末固有情報とを併せて第１情報受信手段に無線送信する。無線情報端末は、端末固有番号発信手段をさらに有する。端末固有番号発信手段は、端末固有情報を、電磁波を利用して発信する。位置情報導出手段は、複数の電磁波受信手段を有する。電磁波受信手段は、電磁波を受信する。そして、位置情報導出手段は、複数の電磁波受信手段において受信された電磁波と電磁波を利用して発信された端末固有情報とを利用して無線情報端末の位置情報を導出する。また、情報対応付け保存手段は、端末固有情報を利用して、自己識別情報と、位置情報導出手段において導出された無線情報端末の位置情報とを対応付けして第３記憶手段に保存する。
【００１０】
第１発明および第２発明に係る空調機対応付け支援システムにおいて、複数のサービスエンジニアがそれぞれに無線情報端末を携帯して自己識別情報の設定および自己識別情報と空調機の位置情報との対応付け作業を行う場合、位置情報導出手段が位置情報を導出できず、情報対応付け保存手段がいずれの自己識別情報をいずれの位置情報に対応付ければよいのか判断できなくなることが想定される。
【００１１】
しかし、この空調機対応付け支援システムでは、サービスエンジニア等が情報送信手段を利用して第２記憶手段に記憶される自己識別情報と端末固有情報とを併せて第１情報受信手段に無線送信すると、第１情報受信手段がその自己識別情報と端末固有情報とを受信する。そして、第１記憶手段がその自己識別情報を記憶する。また、位置情報導出手段が、複数の電磁波受信手段において受信された電磁波と電磁波を利用して発信された端末固有情報とを利用して無線情報端末の位置情報を導出する。そして、この空調機対応付け支援システムでは、情報対応付け保存手段が、端末固有情報を利用して、自己識別情報と、位置情報導出手段において導出された無線情報端末の位置情報とを対応付けして第３記憶手段に保存する。このため、この空調機対応付け支援システムでは、情報対応付け保存手段が、同一の端末固有情報を有している自己識別情報と位置情報とを対応付けして保存することができる。したがって、この空調機対応付け支援システムでは、複数のサービスエンジニアがそれぞれに無線情報端末を携帯して自己識別情報の設定および自己識別情報と空調機の位置情報との対応付け作業を行う場合であっても、情報対応付け保存手段は、自己識別情報と空調機の位置情報とを正しく対応付けして第３記憶手段に保存することができる。また、この空調機対応付け支援システムでは、端末固有情報が同一の電磁波を利用して無線情報端末の位置情報を導出することができる。したがって、この空調機対応付け支援システムでは、複数のサービスエンジニアがそれぞれに無線情報端末を携帯して自己識別情報の設定および自己識別情報と空調機の位置情報との対応付け作業を行う場合であっても、それぞれの無線情報端末の位置情報を正確に導出することができる。
【発明の効果】
【００１２】
第１発明に係る空調機対応付け支援システムでは、サービスエンジニアが、空調機の下方に位置して情報送信手段を操作すれば、空調機の第１記憶手段に自己識別情報が書き込まれるとともに、その自己識別情報に対して空調機の位置情報が対応付けて第３記憶手段に保存されることになる。したがって、この空調機対応付け支援システムでは、複数の空調機が集中管理機器に接続されている空調システムにおいて、サービスエンジニア等に大きな負担をかけることなく、簡便に、集中管理機器に空調機のアドレスと空調機の設置場所とを対応付けることができる。
【００１３】
第２発明に係る空調機対応付け支援システムでは、三辺測量法などを利用して正確に無線情報端末の位置情報を導出することができる。
第３発明に係る空調機対応付け支援システムでは、情報対応付け保存手段が、同一の端末固有情報を有している自己識別情報と位置情報とを対応付けして保存することができる。したがって、この空調機対応付け支援システムでは、複数のサービスエンジニアがそれぞれに無線情報端末を携帯して自己識別情報の設定および自己識別情報と空調機の位置情報との対応付け作業を行う場合であっても、情報対応付け保存手段は、自己識別情報と空調機の位置情報とを正しく対応付けして第３記憶手段に保存することができる。また、この空調機対応付け支援システムでは、端末固有情報が同一の電磁波を利用して無線情報端末の位置情報を導出することができる。したがって、この空調機対応付け支援システムでは、複数のサービスエンジニアがそれぞれに無線情報端末を携帯して自己識別情報の設定および自己識別情報と空調機の位置情報との対応付け作業を行う場合であっても、それぞれの無線情報端末の位置情報を正確に導出することができる。
【発明を実施するための最良の形態】
【００１４】
ここでは、先ず、図１〜図１０の図面を参照しながら本発明の前提となるビル管理システム１について説明する。
〔ビル管理システム〕
このビル管理システム１は、図１に示されるように、主に、マルチ式空調機２ａ，２ｂ，・・・、空調コントローラ３、ＲＦＩＤタグリーダ７ａ，７ｂ，７ｃ，・・・、および監視制御コンピュータ８から構成されている。以下、これらの各構成要素について詳述する。
【００１５】
（１）マルチ式空調機
マルチ式空調機２ａ，２ｂ，・・・では、図１に示されるように、１台（複数台であってもよい）の室外機２１ａ，２１ｂ，・・・に対して複数台の室内機２０ａ，２０ｂ，２０ｃ，２０ｄ，・・・が冷媒配管（図示せず）および第１通信線２２ａ，２２ｂ，・・・を介して接続される。そして、この室内機２０ａ，２０ｂ，２０ｃ，２０ｄ，・・・は、室内熱交換器（図示せず）や、膨張弁（図示せず）、室内ファン（図示せず）、電装品ボックス２３（図２参照）などを備えている。この室内機２０ａ，２０ｂ，２０ｃ，２０ｄ，・・・では、室外機２１ａ，２１ｂ，・・・から室内熱交換器に流入する低温低圧の液冷媒あるいは高温高圧のガス冷媒と、室内ファンにより吸い込まれた室内空気などとの間で熱交換が行われ、熱交換後の室内空気などが室内ファンにより室内に供給される。このようにして、これらの室内機２０ａ，２０ｂ，２０ｃ，２０ｄ，・・・は、居室を冷房したり暖房したりする。また、電装品ボックス２３には、図２に示されるように、マイクロコンピュータ２４、第１ＥＥＰＲＯＭ２５、第１通信回路２６、通信インターフェイス１９、およびＡ／Ｄコンバータ（アナログ／デジタルコンバータ）２９等が内蔵されている。マイクロコンピュータ２４は、バス線２７ａ，２７ｂ，２７ｃ，２７ｄを介して第１ＥＥＰＲＯＭ２５、第１通信回路２６、Ａ／Ｄコンバータ２９、および通信インターフェイス１９に接続されている。第１通信回路２６は、第１通信線２２ａ，２２ｂ，・・・を介して室外機２１ａ，２１ｂ，・・・および空調コントローラ３と通信接続されている。Ａ／Ｄコンバータ２９は、制御用通信線２８などを介して膨張弁や室内ファン等へ通信接続されている。通信インターフェイス１９は、第２通信線１７を介して第１情報受信部１８に通信接続されている。
【００１６】
マイクロコンピュータ２４は図示しない第１制御部および第１演算部を有しており、第１制御部は第１ＥＥＰＲＯＭ２５に記憶されている制御プログラムに記述される命令や、室外機２１ａ，２１ｂ，・・・または空調コントローラ３から送信される制御信号に従って、膨張弁の開度を制御したり、室内ファンの回転数を制御したり、第１ＥＥＰＲＯＭ２５に記憶されている各種データ等を第１通信線２２ａ，２２ｂ，・・・を介して室外機２１ａ，２１ｂ，・・・や空調コントローラ３に送信したりする。また、第１演算部は、第１制御部の指示に従って、第１制御部、第１ＥＥＰＲＯＭ２５、または第１通信回路２６から必要なデータを取得して演算処理（例えば、算術演算処理や論理演算処理等）を行う。第１ＥＥＰＲＯＭ２５には、上述した制御プログラムが格納されている。また、この第１ＥＥＰＲＯＭ２５には、後述する無線アドレス設定ツール１０から送信されるＭＡＣアドレスが記憶されることになる。第１情報受信部１８は、後述する無線アドレス設定ツール１０から送信されるＭＡＣアドレスを受信するためのものである。
【００１７】
（２）空調コントローラ
空調コントローラ３は、マルチ式空調機２ａ，２ｂ，・・・の集中管理機器であって、図３に示されるように、主に、第２中央処理部３１、第２ＲＡＭ（Random Access Memory）３２、第２ＲＯＭ（Read Only Memory）３４、第２ＥＥＰＲＯＭ３５、第２Ｉ／Ｏ制御部３３、空調機用インターフェイス３７、第２ＬＡＮインターフェイス３８、空調機用コネクタ３９、および第２ＬＡＮコネクタ４０から構成されている。ここで、第２中央処理部３１、第２ＲＡＭ３２、第２ＲＯＭ３４、第２ＥＥＰＲＯＭ３５、および第２Ｉ／Ｏ制御部３３は、例えば、マイクロコンピュータであって、相互に第１バス線３６によって接続されており、１つの集積回路を構成している。また、空調機用インターフェイス３７および第２ＬＡＮインターフェイス３８は、例えば、プリント回路基板等であって、第２バス線４３ａ，４３ｂ，４３ｃを介して第２Ｉ／Ｏ制御部３３に接続されている。また、空調機用コネクタ３７は、第３通信線４４を介して空調機用インターフェイス３９に接続されている。また、第２ＬＡＮコネクタ４０は、第４通信線４５を介して第２ＬＡＮインターフェイス３８に接続されている。
【００１８】
第２中央処理部３１は、主に、第２制御部３１Ａおよび第２演算部３１Ｂを有する。第２制御部３１Ａは、図４に示されるように、第２ＲＯＭ３４に記憶されている空調管理プログラムを読み込み（Ｆｄ６参照）、読み込んだ空調管理プログラムに従って第２演算部３１Ｂ、第２ＲＡＭ３２、第２ＲＯＭ３４、第２ＥＥＰＲＯＭ３５、または第２Ｉ／Ｏ制御部３３に動作を指示する（Ｆｃ１〜Ｆｃ４参照）。第２演算部３１Ｂは、図４に示されるように、第２制御部３１Ａの指示に従って第２制御部３１Ａ、第２ＲＡＭ３２、第２ＲＯＭ３４、または第２ＥＥＰＲＯＭ３５から必要なデータを取得して（Ｆｄ１、Ｆｄ４、およびＦｄ７参照）演算処理（例えば、算術演算処理や論理演算処理等）を行う。また、この第２演算部３１Ｂは、第２制御部３１Ａの指示に従って、演算処理の処理結果データを第２制御部３１Ａに供給することができる（Ｆｄ２参照）。また、この第２演算部３１Ｂは、第２制御部３１Ａの指示に従って、演算処理の処理結果データを第２ＲＡＭ３２や第２ＥＥＰＲＯＭ３５に書き込むことができる（Ｆｄ３参照）。
【００１９】
第２ＲＡＭ３２は、図４に示されるように、第２制御部３１Ａの指示に従って、各種データを第２制御部３１Ａに供給することができる（Ｆｄ５参照）。また、この第２ＲＡＭ３２は、各種データを第２Ｉ／Ｏ制御部３３から取得して（Ｆｄ９参照）一時記憶したり、第２演算部３１Ｂから送信されるデータ（Ｆｄ３参照）を一時記憶したりする。また、この第２ＲＡＭ３２は、第２制御部３１Ａの指示に応じて一時記憶しているデータを第２Ｉ／Ｏ制御部３３に送信する（Ｆｄ８参照）。
【００２０】
第２ＲＯＭ３４は、空調管理プログラムや各種データを格納している。そして、この第２ＲＯＭ３４は、図４に示されるように、第２制御部３１Ａの指示に従って、それらを第２制御部３１Ａに供給する（Ｆｄ６参照）。また、この第２ＲＯＭ３４は、第２制御部３１Ａの指示に従って、各種データを第２演算部３１Ｂに供給することができる（Ｆｄ７参照）。
【００２１】
第２ＥＥＰＲＯＭ３５は、電気的に書き換え可能なＲＯＭであり、室内機２０ａ，２０ｂ，２０ｃ，２０ｄ，・・・のＭＡＣアドレス、室内機２０ａ，２０ｂ，２０ｃ，２０ｄ，・・・の設置位置データ、マルチ式空調機２ａ，２ｂ，・・・の監視データなどを記憶する。なお、本実施の形態では、室内機２０ａ，２０ｂ，２０ｃ，２０ｄ，・・・のＭＡＣアドレスおよび設置位置データは、後述する監視制御コンピュータ８から、対応付けされたかたちで提供される。
【００２２】
第２Ｉ／Ｏ制御部３３は、マルチ式空調機２ａ，２ｂ，・・・から送信されてくるデータや、後述する監視制御コンピュータ８から送信されるデータ等を第２ＲＡＭ３２へ入力したり（Ｆｄ９参照）、第２ＲＡＭ３２に記憶されている各種データや制御信号などをマルチ式空調機２ａ，２ｂ，・・・や、監視制御コンピュータ８に送信したりする。
空調機用インターフェイス３７、および第２ＬＡＮインターフェイス３８は、通信線４４，４５を介して空調機用コネクタ３９および第２ＬＡＮコネクタ４０に接続されており、マルチ式空調機２ａ，２ｂ，・・・から送信されてくるデータや、後述する監視制御コンピュータ８から送信されるデータ等を受信すると同時にそれらのデータを第２中央処理部３１が処理可能な形式に変換したり、第２Ｉ／Ｏ制御部３３からマルチ式空調機２ａ，２ｂ，・・・や監視制御コンピュータ８に出力されるデータおよび制御信号などを、マルチ式空調機２ａ，２ｂ，・・・や監視制御コンピュータ８が処理可能な形式に変換したりする。
【００２３】
空調機用コネクタ３９には、図３に示されるように、第８通信線３０を介してマルチ式空調機２ａ，２ｂ，・・・の室外機２１ａ，２１ｂ，・・・が接続される。
第２ＬＡＮコネクタ４０には、図３に示されるように、イーサネットケーブル９９を介して監視制御コンピュータ８が接続される。
（３）ＲＦＩＤタグリーダ
ＲＦＩＤタグリーダ７ａ，７ｂ，７ｃ，・・・は、後述する無線アドレス設定ツール１０に内蔵されるＲＦＩＤタグ６から発信されるデータを読み取る装置であって、図５に示されるように、主に、第３中央処理部７１、第３ＲＡＭ７２、第３ＲＯＭ７４、第３Ｉ／Ｏ制御部７３、第３ＬＡＮインターフェイス７８、第３ＬＡＮコネクタ５１、および第２情報受信部７９から構成されている。ここで、第３中央処理部７１、第３ＲＡＭ７２、第３ＲＯＭ７４、および第３Ｉ／Ｏ制御部７３は、例えば、マイクロコンピュータであって、相互に第３バス線７５によって接続されており、１つの集積回路を構成している。また、第３ＬＡＮインターフェイス７８は、例えば、プリント回路基板等であって、第４バス線７６ｂを介して第３Ｉ／Ｏ制御部７３に接続されている。また、第２情報受信部７９は、第４バス線７６ａを介して第３Ｉ／Ｏ制御部７３に接続されている。また、第３ＬＡＮコネクタ５１は、第４通信線５３を介して第３ＬＡＮインターフェイス７８に接続されている。
【００２４】
第３中央処理部７１は、主に、第３制御部７１Ａおよび第３演算部７１Ｂを有する。第３制御部７１Ａは、図６に示されるように、第３ＲＯＭ７４に記憶されているデータ読取プログラムや電波強度測定プログラムを読み込み（Ｆｄ６参照）、読み込んだデータ読取プログラムや電波強度測定プログラムに従って第３演算部７１Ｂ、第３ＲＡＭ７２、第３ＲＯＭ７４、または第３Ｉ／Ｏ制御部７３に動作を指示する（Ｆｃ１〜Ｆｃ４参照）。第３演算部７１Ｂは、図６に示されるように、第３制御部７１Ａの指示に従って第３制御部７１Ａ、第３ＲＡＭ７２、または第３ＲＯＭ７４から必要なデータを取得して（Ｆｄ１、Ｆｄ４、およびＦｄ７参照）演算処理（例えば、算術演算処理や論理演算処理等）を行う。また、この第３演算部７１Ｂは、第３制御部７１Ａの指示に従って、演算処理の処理結果データを第３制御部７１Ａに供給することができる（Ｆｄ２参照）。また、この第３演算部７１Ｂは、第３制御部７１Ａの指示に従って、演算処理の処理結果データを第３ＲＡＭ７２に書き込むことができる（Ｆｄ３参照）。
【００２５】
第３ＲＡＭ７２は、図６に示されるように、第３制御部７１Ａの指示に従って、各種データを第３制御部７１Ａに供給することができる（Ｆｄ５参照）。また、この第３ＲＡＭ７２は、各種データを第３Ｉ／Ｏ制御部７３から取得して（Ｆｄ９参照）一時記憶したり、第３演算部７１Ｂから送信されるデータ（Ｆｄ３参照）を一時記憶したりする。また、この第３ＲＡＭ７２は、第３制御部７１Ａの指示に応じて一時記憶しているデータを第３Ｉ／Ｏ制御部７３に送信する（Ｆｄ８参照）。
【００２６】
第３ＲＯＭ７４は、データ読取プログラムや、電波強度測定プログラム、フロアーデータ（ビルの階層データ）等の各種データ等を格納している。そして、この第３ＲＯＭ７４は、図６に示されるように、第３制御部７１Ａの指示に従って、それらを第３制御部７１Ａに供給する（Ｆｄ６参照）。また、この第３ＲＯＭ７４は、第３制御部７１Ａの指示に従って、各種データを第３演算部７１Ｂに供給することができる（Ｆｄ７参照）。
【００２７】
第３Ｉ／Ｏ制御部７３は、第２情報受信部７９において受信されるデータや、監視制御コンピュータ８から送信されるデータ等を第３ＲＡＭ７２へ入力したり（Ｆｄ９参照）、第３ＲＡＭ７２に記憶されている各種データや制御信号などを監視制御コンピュータ８に送信したりする。
第２情報受信部７９は、後述する無線アドレス設定ツール１０に内蔵されるＲＦＩＤタグ６から発信されるデータを受信して、その受信データを第３Ｉ／Ｏ制御部７３に送信する。
【００２８】
第３ＬＡＮインターフェイス７８は、第５通信線５３を介して第３ＬＡＮコネクタ５１に接続されており、監視制御コンピュータ８から送信されるデータ等を受信すると同時にそれらのデータを第３中央処理部７１が処理可能な形式に変換したり、第３Ｉ／Ｏ制御部７３から監視制御コンピュータ８に出力されるデータおよび制御信号などを、監視制御コンピュータ８が処理可能な形式に変換したりする。
【００２９】
第３ＬＡＮコネクタ５１には、図５に示されるように、イーサネットケーブル９９を介して監視制御コンピュータ８が接続される。
なお、ＲＦＩＤタグリーダ７ａ，７ｂ，７ｃ，・・・は、各居室において、室内機２０ａ，２０ｂ，２０ｃ，２０ｄ，・・・から１０メートル範囲内に必ず３台以上のＲＦＩＤタグリーダ７ａ，７ｂ，７ｃ，・・・が存在するように配置される。
【００３０】
（４）監視制御コンピュータ
監視制御コンピュータ８は、図７に示されるように、主に、本体８０、入力装置８９、およびディスプレイ９０から構成されている。
本体８０は、図７に示されるように、主に、第４中央処理部８１、メインメモリ８３、ハードディスク８４、接続部８２、ＩＤＥインターフェイス８５、入力インターフェイス８６、ディスプレイインターフェイス８７、第４ＬＡＮインターフェイス８８、および第４ＬＡＮコネクタ９６から構成されている。そして、この本体８０では、第４中央処理部８１が第５バス線９１を介して、メインメモリ８３が第６バス線９２を介して、各種インターフェイス８５〜８８が第７バス線９３を介して接続部８２に接続されている。
【００３１】
ここで、第４中央処理部８１は、例えば、マイクロプロセッサと呼ばれる半導体チップ等であって、主に、第４制御部８１Ａおよび第４演算部８１Ｂから構成される（他に１次キャッシュメモリや２次キャッシュメモリ等を含んでいてもよい）。
メインメモリ８３は、例えば、ＲＡＭ（ランダムアクセスメモリ）等の半導体チップである。接続部８２は、チップセット等の半導体チップである。
【００３２】
ハードディスク８４には、図８に示されるように、オペレーティングシステム８４ａ、デバイスドライバ８４ｂ、および位置データ導出アプリケーション８４ｃや、室内機バインディングアプリケーション８４ｄといったプログラム、その他データベース８４ｅ等が格納されている。なお、このハードディスク８４は、外付けタイプであってもかまわない。オペレーティングシステム８４ａは、例えば、ＷＩＮＤＯＷＳ（登録商標）、ＭＡＣ  ＯＳ（登録商標）、ＯＳ／２、ＵＮＩＸ（登録商標）（例えば、Ｌｉｎｕｘ（登録商標）等）、あるいはＢｅＯＳ（登録商標）等であって、各部８２〜８４、各種インターフェイス８５〜８８、各装置８９，９０等のハードウェア管理や、ユーザインターフェイスの提供、各種データの管理、アプリケーションの共通部分の処理等を行う。デバイスドライバ８４ｂは、ハードディスク８４、接続部８２、および各装置８９，９０それぞれに対して用意されている専用プログラムであって、オペレーティングシステム８４ａがハードディスク８４、接続部８２、および各装置８９，９０を制御するための橋渡しを行う。位置データ導出アプリケーション８４ｃは、３台以上のＲＦＩＤタグリーダ７ａ，７ｂ，７ｃ，・・・から送信されてくる電波強度データやＲＦＩＤタグリーダ７ａ，７ｂ，７ｃ，・・・の位置データ（予め位置データ導出アプリケーション８４ｃに組み込まれている）等を利用してＲＦＩＤタグ６ａ，６ｂ，６ｃ，６ｄ，・・・の位置データ（平面座標データ）を導出するためのプログラムである。なお、本実施の形態において、この位置データ導出アプリケーション８４ｃは、人（携帯端末）の位置データ導出にも利用されている。室内機バインディングアプリケーション８４ｄは、室内機２０ａ，２０ｂ，２０ｃ，２０ｄ，・・・から送信されるＭＡＣアドレスと、位置データ導出アプリケーション８４ｃにより導出された位置データと、ＲＦＩＤタグリーダ７ａ，７ｂ，７ｃ，・・・から送信されるフロアーデータとを対応付けてデータベース８４ｅに格納するためのプログラムである。
【００３３】
ＩＤＥ（Integrated Drive Electronics）インターフェイス８５は、ハードディスク８４を接続部８２に接続する。入力インターフェイス８６は、例えば、ＰＳ／２、ＵＳＢ、ＩＥＥＥ１２８４、ＲＳ２３２、あるいはＩｒＤＡ（Infrared Data Association）等のインターフェイスであって、メインメモリ８３にデータを入力するためのキーボード、マウス、スキャナ、あるいはＯＣＲ（Optical Character Reader）等といった入力装置８９を接続する。ディスプレイインターフェイス８７は、例えば、ＡＧＰ（Accelerated Graphics Port）、ＰＣＩ（Peripheral Component Interconnect）、あるいはＲＳ２３２等のインターフェイスであって、メインメモリ８３から送信されてきたデータを文字や画像として表示するためのＣＲＴディスプレイ、液晶ディスプレイ、あるいはプラズマディスプレイ等といったディスプレイ９０を接続する。第４ＬＡＮインターフェイス８８は、第６通信線９５を介して第４ＬＡＮコネクタ９６に接続されており、空調コントローラ３やＲＦＩＤタグリーダ７ａ，７ｂ，７ｃ，・・・から送信されるデータ等を受信すると同時にそれらのデータを第４中央処理部８１が処理可能な形式に変換したり、空調コントローラ３やＲＦＩＤタグリーダ７ａ，７ｂ，７ｃ，・・・に出力されるデータおよび制御信号などを、空調コントローラ３やＲＦＩＤタグリーダ７ａ，７ｂ，７ｃ，・・・が処理可能な形式に変換したりする。
【００３４】
第４ＬＡＮコネクタ９６には、図７に示されるように、イーサネットケーブル９９およびルータ（図示せず）を介して空調コントローラ３およびＲＦＩＤタグリーダ７ａ，７ｂ，７ｃ，・・・が接続される。
次に、図９を用いて監視制御コンピュータ８の動作について説明する。
第４制御部８１Ａは、図９に示されるように、メインメモリ８３に一時記憶されるプログラムを読み込み（Ｆｄ６参照）、読み込んだプログラムに従って各部８２〜８４および各装置８９，９０に動作を指示する（Ｆｃ１〜Ｆｃ６参照）。第４演算部８１Ｂは、第４制御部８１Ａの命令に従ってメインメモリ８３から必要なデータを取得して（Ｆｄ２参照）演算処理（例えば、算術演算処理や論理演算処理等）を行う。メインメモリ８３は、プログラムやデータ等をハードディスク８４から取得して（Ｆｄ４参照）一時記憶したり、入力装置８９において入力されたデータを一時記憶したり（Ｆｄ１参照）、第４演算部８１Ｂや第４ＬＡＮインターフェイス８８等から送信されるデータ等（Ｆｄ３およびＦｄ９参照）を一時記憶したりする。また、このメインメモリ８３は、第４制御部８１Ａの命令に応じて一時記憶しているデータ等を各部８２〜８４および各装置８９，９０に送信する（Ｆｄ２、Ｆｄ５、Ｆｄ７、およびＦｄ８参照）。ハードディスク８４は、第４制御部８１Ａの命令に応じてメインメモリ８３にプログラムやデータ等を供給したり（Ｆｄ４参照）メインメモリ８３から送信されるデータ等を格納したりする（Ｆｄ５参照）。
【００３５】
〔無線アドレス設定ツール〕
ここでは、図１０および図１１の図面を参照しながら本発明の実施の形態に係る無線アドレス設定ツール１０について説明する。なお、本実施の形態では、ビル管理システム１と無線アドレス設定ツール１０とを合わせて室内機対応付け支援システムという。
無線アドレス設定ツール１０は、各室内機２０ａ，２０ｂ，２０ｃ，２０ｄ，・・・に対して固有のＭＡＣアドレスを設定するための装置であって、図１１に示されるように、主に、第５中央処理部１０１、第５ＲＡＭ１０２、第５ＲＯＭ１０４、第５ＥＥＰＲＯＭ１０５、第５Ｉ／Ｏ制御部１０３、入力インターフェイス１０７、ディスプレイアダプタ１０８、無線情報送信インターフェイス１０９、入力キー群１１０、ディスプレイ１１１、無線情報受信部１１２、およびＲＦＩＤタグ６から構成される。
【００３６】
ここで、第５中央処理部１０１、第５ＲＡＭ１０２、第５ＲＯＭ１０４、第５ＥＥＰＲＯＭ１０５、および第５Ｉ／Ｏ制御部１０３は、相互に第８バス線１０６によって接続されており、１つの集積回路を構成している。また、入力インターフェイス１０７、ディスプレイアダプタ１０８、および無線情報送信インターフェイス１０９は、例えば、プリント回路基板等であって、第９バス線１１６ａ，１１６ｂ，１１６ｃを介して第５Ｉ／Ｏ制御部１０３に接続されている。また、入力キー群１１０は、第７通信線１１３を介して入力インターフェイス１０７に接続されている。また、ディスプレイ１１１は、第９通信線１１４を介してディスプレイアダプタ１０８に接続されている。また、無線情報送信部１１２は、第１０通信線１１５を介して無線情報送信部８０に接続されている。
【００３７】
第５中央処理部１０１は、主に、第５制御部１０１Ａおよび第５演算部１０１Ｂを有する。第５制御部１０１Ａは、図１１に示されるように、第５ＲＯＭ１０４に記憶されている種々のプログラム（例えば、オペレーティングシステム、デバイスドライバ、ＭＡＣアドレス送信プログラム等）を読み込み（Ｆｄ６参照）、読み込んだプログラムに従って第５演算部１０１Ｂ、第５ＲＡＭ１０２、第５ＲＯＭ１０４、第５ＥＥＰＲＯＭ１０５、または第５Ｉ／Ｏ制御部１０３に動作を指示する（Ｆｃ１〜Ｆｃ４参照）。第５演算部１０１Ｂは、図１１に示されるように、第５制御部１０１Ａの指示に従って第５制御部１０１Ａ、第５ＲＡＭ１０２、第５ＲＯＭ１０４、または第５ＥＥＰＲＯＭ１０５から必要なデータを取得して（Ｆｄ１、Ｆｄ４、およびＦｄ７参照）演算処理（例えば、算術演算処理や論理演算処理等）を行う。また、この第５演算部１０１Ｂは、第５制御部１０１Ａの指示に従って、演算処理の処理結果データを第５制御部１０１Ａに供給することができる（Ｆｄ２参照）。また、この第５演算部１０１Ｂは、第５制御部１０１Ａの指示に従って、演算処理の処理結果データを第５ＲＡＭ１０２や第５ＥＥＰＲＯＭ１０５に書き込むことができる（Ｆｄ３参照）。
【００３８】
第５ＲＡＭ１０２は、図１１に示されるように、第５制御部１０１Ａの指示に従って、各種データを第５制御部１０１Ａに供給することができる（Ｆｄ５参照）。また、この第５ＲＡＭ１０２は、各種データを第５Ｉ／Ｏ制御部１０３から取得して（Ｆｄ９参照）一時記憶したり、第５演算部１０１Ｂから送信されるデータ（Ｆｄ３参照）を一時記憶したりする。また、この第５ＲＡＭ１０２は、第５制御部１０１Ａの指示に応じて一時記憶しているデータを第５Ｉ／Ｏ制御部１０３に送信する（Ｆｄ８参照）。
【００３９】
第５ＲＯＭ１０４は、上述した各種プログラムや種々のデータを格納している。そして、この第５ＲＯＭ１０４は、図１１に示されるように、第５制御部１０１Ａの指示に従って、それらを第５制御部１０１Ａに供給する（Ｆｄ６参照）。また、この第５ＲＯＭ１０４は、第５制御部１０１Ａの指示に従って、各種データ等を第５演算部１０１Ｂに供給することができる（Ｆｄ７参照）。
【００４０】
第５ＥＥＰＲＯＭ１０５は、電気的に書き換え可能なＲＯＭであり、本実施の形態では主に室内機２０ａ，２０ｂ，２０ｃ，２０ｄ，・・・へ設定するためのＭＡＣアドレス等を記憶する。
第５Ｉ／Ｏ制御部１０３は、入力キー群１１０やディスプレイ１１１から入力されるデータ等を第５ＲＡＭ１０２へ入力したり（Ｆｄ９参照）、第５ＲＡＭ１０２に記憶されている各種データや制御信号などを、ディスプレイ１１１や無線情報送信部１１２に送信したりする。
【００４１】
入力インターフェイス１０７は、第７通信線１１３を介して入力キー群８１に接続されており、入力キー群８１から入力されるデータを受信すると同時にそれらのデータを第５中央処理部１０１が処理可能な形式に変換する。
ディスプレイアダプタ１０８は、第９通信線１１４を介してディスプレイ１１１に接続されており、ディスプレイ１１１から入力されるデータを受信すると同時にそれらのデータを第５中央処理部１０１が処理可能な形式に変換したり、第５Ｉ／Ｏ制御部１０３からディスプレイ１１１に出力されるデータおよび制御信号などをディスプレイ１１１が処理可能な形式に変換したりする。
【００４２】
無線情報送信インターフェイス１０９は、第１０通信線１０９を介して無線情報送信部１１２に接続されており、第５Ｉ／Ｏ制御部１０３から無線情報送信部１１２に出力されるデータを室内機２０ａ，２０ｂ，２０ｃ，２０ｄ，・・・のマイクロコンピュータ２４が処理可能な形式に変換する。
入力キー群１１０は、無線情報送信部１１２から室内機２０ａ，２０ｂ，２０ｃ，２０ｄ，・・・の第１情報受信部１８にＭＡＣアドレス無線送信する際に利用されたり、ＭＡＣアドレスを手動で決定する場合に利用されたりする。
【００４３】
ディスプレイ１１１には、室内機２０ａ，２０ｂ，２０ｃ，２０ｄ，・・・に登録される前のＭＡＣアドレスが表示される。なお、ＭＡＣアドレスの自動繰り出し機能がオンとされているとき、入力キー群１１０によりそのＭＡＣアドレスが無線情報送信部１１２から送信された時点で、ディスプレイ１１１に次のＭＡＣアドレスが自動的に表示される。また、ＭＡＣアドレスの自動繰り出し機能がオフとされているとき、入力キー群１１０によりそのＭＡＣアドレスが送信された時点で、ディスプレイ１１１からそのＭＡＣアドレスが消去され、入力待機状態となる。かかる場合、サービスエンジニア等は、入力キー群１１０を利用して次のＭＡＣアドレスを入力する。
【００４４】
無線情報送信部１１２は、赤外線を利用してＭＡＣアドレスを室内機２０ａ，２０ｂ，２０ｃ，２０ｄ，・・・の第１情報受信部１８に無線送信する。
ＲＦＩＤタグ６は、無線アドレス設定ツール１０のケーシング内に独立して設けられている。このＲＦＩＤタグ６は、いわゆるアクティブ型のＩＣタグであり、図１２に示されるように、電池６４、不揮発性メモリ６３、第２通信回路６２、およびアンテナコイル６１を備える。不揮発性メモリ６３には、タグ識別データが保持されている。第２通信回路６２は、電池６４から供給される電力を利用して不揮発性メモリ６３に保持されるタグ識別データを、アンテナコイル６１を介して発信する。なお、本実施形態において、このＲＦＩＤタグ６の最大交信距離は１０メートル程度である。
【００４５】
〔室内機へのＭＡＣアドレスの設定処理およびＭＡＣアドレスと設置位置データとの対応付け処理〕
図１３および１４には、室内機へのＭＡＣアドレスの設定処理およびＭＡＣアドレスと設置位置データとの対応付け処理の流れを表すフローチャートを示す。
サービスエンジニア等が、ＭＡＣアドレスを設定したい室内機２０ａ，２０ｂ，２０ｃ，２０ｄ，・・・の下方へ位置し、無線アドレス設定ツール１０のディスプレイ１１１にＭＡＣアドレスを表示させ、無線アドレス設定ツール１０の無線情報送信部１１２を室内機２０ａ，２０ｂ，２０ｃ，２０ｄ，・・・の第１無線情報受信部１８に向けた状態で、入力キー群１１０を利用してそのＭＡＣアドレスを送信すると、ステップＳ１では、第１無線情報受信部１８が、無線アドレス設定ツール１０の無線情報送信部１１２から送信されたＭＡＣアドレスを受信する。
【００４６】
ステップＳ２では、マイクロコンピュータ２４が、第１無線情報受信部１８から通信インターフェイス１９を介してＭＡＣアドレスを取得する。
ステップＳ３では、マイクロコンピュータ２４が、ステップＳ２において取得したＭＡＣアドレスを第５ＥＥＰＲＯＭ２５および第１通信回路２６に送信する。
ステップＳ４では、第５ＥＥＰＲＯＭ２５が、ステップＳ３においてマイクロコンピュータ２４から送信されたＭＡＣアドレスを保存する。
【００４７】
ステップＳ５では、第１通信回路２６が、ステップＳ３においてマイクロコンピュータ２４から送信されたＭＡＣアドレスを、空調コントローラ３を介して監視制御コンピュータ８に送信する。
ステップＳ６では、メインメモリ８３が、第４制御部８１Ａの指示に従って、送信されてきたＭＡＣアドレスを記憶する。
【００４８】
ステップＳ７では、メインメモリ８３が、第４制御部８１Ａの指示に従って、ＭＡＣアドレスをハードディスク８４に送信する。
ステップＳ８では、ハードディスク８４が、第４制御部８１Ａの指示に従って、ＭＡＣアドレスをデータベース８４ｅに格納する。
ステップＳ９では、第４制御部８１Ａが、ＲＦＩＤタグリーダ７ａ，７ｂ，７ｃ，・・・に対してタグ識別データ読み取り指令信号を送信する。
【００４９】
ステップＳ１０では、第３Ｉ／Ｏ制御部７３が、第３制御部７１Ａの指示に従って、タグ識別データ読み取り指令信号を受信する。
ステップＳ１１では、第２情報受信部７９が、ＲＦＩＤタグ６から電波を利用して発信されるタグ識別データを受信する。
ステップＳ１２では、第３演算部７１Ｂが、第３制御部７１Ａの指示に従って、受信した電波の電波強度データを導出する。
【００５０】
ステップＳ１３では、第３Ｉ／Ｏ制御部７３が、第３制御部７１Ａの指示に従って、電波強度データとフロアーデータとを監視制御コンピュータ８に送信する。
ステップＳ１４では、メインメモリ８３が、第４制御部８１Ａの指示に従って、３台のＲＦＩＤタグリーダ７ａ，７ｂ，７ｃ，・・・から送信されてきた電波強度データとフロアーデータとを記憶する。
【００５１】
ステップＳ１５では、メインメモリ８３が、第４制御部８１Ａの指示に従って、第４演算部８１Ｂに電波強度データを送信する。
ステップＳ１６では、第４演算部８１Ｂが、第４制御部８１Ａの指示に従って、３つの電波強度データからＲＦＩＤタグ６の位置データを導出する。
ステップＳ１７では、第４演算部８１Ｂが、第４制御部８１Ａの指示に従って、ＲＦＩＤタグ６の位置データを、メインメモリ８３を介してハードディスク８４に送信する。
【００５２】
ステップＳ１８では、ハードディスク８４が、第４制御部８１Ａの指示に従って、ＲＦＩＤタグ６の位置データとフロアーデータとを、ステップＳ８において格納したＭＡＣアドレスに対応付けてデータベース８４ｅに格納する。
なお、この後、このデータベース８４ｅは、サービスエンジニア等により空調コントローラ３にコピー処理される。
【００５３】
〔室内機対応付け支援システムの特徴〕
本実施の形態に係る空調機対応付け支援システムでは、サービスエンジニア等が、ＭＡＣアドレスを設定したい室内機２０ａ，２０ｂ，２０ｃ，２０ｄ，・・・の下方へ位置し、無線アドレス設定ツール１０のディスプレイ１１１にＭＡＣアドレスを表示させ、無線アドレス設定ツール１０の無線情報送信部１１２を室内機２０ａ，２０ｂ，２０ｃ，２０ｄ，・・・の第１無線情報受信部１８に向けた状態で、入力キー群１１０を利用してそのＭＡＣアドレスを送信すると、室内機２０ａ，２０ｂ，２０ｃ，２０ｄ，・・・において、第５ＥＥＰＲＯＭ２５がＭＡＣアドレスを保存するとともに、第１通信回路２６がＭＡＣアドレスを空調コントローラ３を介して監視制御コンピュータ８に送信する。監視制御コンピュータ８では、ハードディスク８４がＭＡＣアドレスをデータベース８４ｅに格納した後、第４制御部８１ＡがＲＦＩＤタグリーダ７ａ，７ｂ，７ｃ，・・・に対してタグ識別データ読み取り指令信号を送信する。ＲＦＩＤタグリーダ７ａ，７ｂ，７ｃ，・・・では、第２情報受信部７９がＲＦＩＤタグ６から電波を利用して発信されるタグ識別データを受信し、第３演算部７１Ｂが電波の電波強度データを導出し、第３Ｉ／Ｏ制御部７３が電波強度データを監視制御コンピュータ８に送信する。そして、監視制御コンピュータ８では、第４演算部８１Ｂが３つの電波強度データからＲＦＩＤタグ６の位置データを導出し、そのＲＦＩＤタグ６の位置データを、先にデータベース８４ｅに格納したＭＡＣアドレスに対応付けてデータベース８４ｅに保存する。最後に、サービスエンジニア等が、データベース８４ｅを空調コントローラ３にコピー処理する。このため、この空調機対応付け支援システムでは、室内機２０ａ，２０ｂ，２０ｃ，２０ｄ，・・・にＭＡＣアドレスを付与するとともに、簡便に、空調コントローラ３に室内機２０ａ，２０ｂ，２０ｃ，２０ｄ，・・・のＭＡＣアドレスと設置場所とを対応付けることができる。したがって、この空調機対応付け支援システムでは、室内機２０ａ，２０ｂ，２０ｃ，２０ｄ，・・・のＭＡＣアドレスと設置場所とを対応付け処理において、サービスエンジニア等に大きな負担をかけることがない。また、この空調機対応付け支援システムでは、無線アドレス設定ツール１０の位置データを導出するのに、三辺測量法を利用している。したがって、この空調機対応付け支援システムでは、無線アドレス設定ツール１０の位置データを正確に導出することができる。
【００５４】
〔変形例〕
（Ａ）
先の実施の形態に係る空調機対応付け支援システムにおいて、作業時間短縮などのために、複数のサービスエンジニア等がそれぞれに無線アドレス設定ツール１０を利用して同時に作業を行うと、位置データ導出アプリケーション８４ｃは無線アドレス設定ツール１０の位置データを導出することができず、室内機バインディングアプリケーション８４ｄはＭＡＣアドレスと位置データとの対応付け処理を行うことができなくなる。しかし、先の実施の形態に係る空調機対応付け支援システムを、以下に説明するように改良すれば、その問題は解決される。
【００５５】
先ず、無線アドレス設定ツール１０に関しては、第５ＥＥＰＲＯＭ１０５にタグ識別データを記憶させておき、無線情報送信部１１２がＭＡＣアドレスを室内機２０ａ，２０ｂ，２０ｃ，２０ｄ，・・・の第１情報受信部１８に無線送信するのと同時にタグ識別データも無線送信するようにする。また、室内機２０ａ，２０ｂ，２０ｃ，２０ｄ，・・・に関しては、第１通信回路２６がＭＡＣアドレスとタグ識別データとを併せて監視制御コンピュータ８に送信するようにする。また、監視制御コンピュータ８に関しては、ハードディスク８４がＭＡＣアドレスとタグ識別データとを併せてデータベース８４ｅに格納するようにする。また、ＲＦＩＤタグリーダ７ａ，７ｂ，７ｃ，・・・に関しては、第３Ｉ／Ｏ制御部７３が電波強度データとタグ識別データとを併せて監視制御コンピュータ８に送信するようにする。そして、再び、監視制御コンピュータ８に関しては、第４演算部８１Ｂが同一のタグ識別データが付されている３つの電波強度データからＲＦＩＤタグ６の位置データを導出し、ハードディスク８４がそのＲＦＩＤタグ６の位置データを、同一のタグ識別データと対応付けられているＭＡＣアドレスに対応付けてデータベース８４ｅに格納するようにする。
【００５６】
（Ｂ）
先の実施の形態に係るＲＦＩＤタグリーダ７ａ，７ｂ，７ｃ，・・・では、第３ＲＯＭ７４にフロアーデータが格納されており、第３Ｉ／Ｏ制御部７３が、そのフロアーデータを電波強度データとともに監視制御コンピュータ８に送信していた。しかし、フロアーデータのみならずＲＦＩＤタグリーダ７ａ，７ｂ，７ｃ，・・・の設置位置データ（平面座標データ）がＥＥＰＲＯＭ等の書き換え可能な記憶装置に格納されていて、第３Ｉ／Ｏ制御部７３が、電波強度データおよびフロアーデータに加えてＲＦＩＤタグリーダ７ａ，７ｂ，７ｃ，・・・の設置位置データを監視制御コンピュータ８に送信するようにしてもよい。このようにすれば、フロアーデータやＲＦＩＤタグリーダ７ａ，７ｂ，７ｃ，・・・の設置位置データを適宜書き換えることができ、ＲＦＩＤタグリーダ７ａ，７ｂ，７ｃ，・・・の設置位置を変更しなければならないときに容易に対応することができる。
【００５７】
（Ｃ）
先の実施の形態に係る空調機対応付け支援システムでは、サービスエンジニア等が、無線アドレス設定ツール１０を利用して室内機２０ａ，２０ｂ，２０ｃ，２０ｄ，・・・にＭＡＣアドレスを付与した。しかし、室内機２０ａ，２０ｂ，２０ｃ，２０ｄ，・・・に付与されるものは、室内機２０ａ，２０ｂ，２０ｃ，２０ｄ，・・・を個々に識別できるデータであれば特に限定されず、例えば、ＩＰアドレスやシリアル番号などであってもよい。
【００５８】
（Ｄ）
先の実施の形態に係る空調機対応付け支援システムでは、サービスエンジニア等が、赤外線を利用して室内機２０ａ，２０ｂ，２０ｃ，２０ｄ，・・・にＭＡＣアドレスを付与した。しかし、無線ＬＡＮを利用して室内機２０ａ，２０ｂ，２０ｃ，２０ｄ，・・・にＭＡＣアドレスを付与するようにしてもよい。かかる場合、室内機２０ａ，２０ｂ，２０ｃ，２０ｄ，・・・に付与されるものは、ＭＡＣアドレスではなく他の個体識別データとなる。
【図面の簡単な説明】
【００５９】
【図１】本発明の実施の形態に係るビル管理システムの構成を表すブロック図である。
【図２】本発明の実施の形態に係る室内機の一部を表す図である。
【図３】本発明の実施の形態に係る空調コントローラの内部構造を表すブロック図である。
【図４】本発明の実施の形態に係る空調コントローラにおける制御信号およびデータの流れを表す図である。
【図５】本発明の実施の形態に係るＲＦＩＤタグリーダの内部構造を表すブロック図である。
【図６】本発明の実施の形態に係るＲＦＩＤタグリーダにおける制御信号およびデータの流れを表す図である。
【図７】本発明の実施の形態に係る監視制御コンピュータの内部構造を表すブロック図である。
【図８】本発明の実施の形態に係る監視制御コンピュータのハードディスクに格納される各種プログラムやデータのイメージ図である。
【図９】本発明の実施の形態に係る監視制御コンピュータにおける制御信号およびデータの流れを表す図である。
【図１０】本発明の実施の形態に係る無線アドレス設定ツールの内部構造を表すブロック図である。
【図１１】本発明の実施の形態に係る無線アドレス設定ツールにおける制御信号およびデータの流れを表す図である。
【図１２】本発明の実施の形態に係る無線アドレス設定ツールに内蔵されるＲＦＩＤタグの内部構造を表すブロック図である。
【図１３】本発明の実施の形態に係る室内機対応付け支援システムにおいて実行される室内機のＭＡＣアドレスと設置位置データとの対応付け処理の流れを表す第１フローチャートである。
【図１４】本発明の実施の形態に係る室内機対応付け支援システムにおいて実行される室内機のＭＡＣアドレスと設置位置データとの対応付け処理の流れを表す第２フローチャートである。
【符号の説明】
【００６０】
３      空調コントローラ（集中管理機器）
６，７ａ，７ｂ，７ｃ，・・・，８１Ｂ      ＲＦＩＤタグ、ＲＦＩＤタグリーダ、第４演算部（位置情報導出手段）
１０      無線アドレス設定ツール（無線情報端末）
１８      第１情報受信部（第１情報受信手段）
２０ａ，２０ｂ，２０ｃ，２０ｄ，・・・      室内機（空調機）
２５      第１ＥＥＰＲＯＭ（第１記憶手段）
６２      第２通信回路（電磁波発信手段、端末固有番号発信手段）
７９      第２情報受信部（電磁波受信手段）
８１Ａ      第４制御部（情報対応付け保存手段）
８４ｅ      データベース（第３記憶手段）
１０５      第５ＥＥＰＲＯＭ（第２記憶手段）
１１２      無線情報受信部（情報送信手段）
【図１】
2007010223.tif 000003
【図２】
2007010223.tif 000004
【図３】
2007010223.tif 000005
【図４】
2007010223.tif 000006
【図５】
2007010223.tif 000007
【図６】
2007010223.tif 000008
【図７】
2007010223.tif 000009
【図８】
2007010223.tif 000010
【図９】
2007010223.tif 000011
【図１０】
2007010223.tif 000012
【図１１】
2007010223.tif 000013
【図１２】
2007010223.tif 000014
【図１３】
2007010223.tif 000015
【図１４】
2007010223.tif 000016